(57)【要約】【課題】油汚れに対する洗浄力が良好であり、手肌マイルド性に優れ、かつ、洗浄後における手肌の感触を洗浄前と同じ程度に保つことができ、さらに透明外観を安定に確保できる、台所用液体洗浄剤組成物を提供すること。【解決手段】ノニオン性界面活性剤（Ａ）と、特定のポリオキシエチレンアルキルエーテル硫酸エステル塩（Ｂ１）と、アミンオキシド型界面活性剤及び／又は両性界面活性剤（Ｃ）と、ポリエーテル変性シリコーン（Ｄ）と、特定のハイドロトロープ剤（Ｅ１）とを含有することを特徴とする台所用液体洗浄剤組成物。【選択図】なし【特許請求の範囲】
【請求項１】
ノニオン性界面活性剤（Ａ）と、
下記の数式（Ｓ）
【数１】
2010037552.tif 000014
［式中、ｎｍａｘは全体のアルキレンオキシド付加体中に最も多く存在するアルキレンオキシド付加体のアルキレンオキシドの付加モル数を示す。ｉはアルキレンオキシドの付加モル数を示す。Ｙｉは全体のアルキレンオキシド付加体中に存在するアルキレンオキシドの付加モル数がｉであるアルキレンオキシド付加体の割合（質量％）を示す。］
で表されるナロー率が５５質量％以上のポリオキシエチレンアルキルエーテル硫酸エステル塩（Ｂ１）と、
アミンオキシド型界面活性剤及び／又は両性界面活性剤（Ｃ）と、
ポリエーテル変性シリコーン（Ｄ）と、
トルエンスルホン酸、トルエンスルホン酸塩、クメンスルホン酸、クメンスルホン酸塩、安息香酸、安息香酸塩及びエタノールからなる群から選ばれる少なくとも一種のハイドロトロープ剤（Ｅ１）と
を含有することを特徴とする台所用液体洗浄剤組成物。
【請求項２】
前記ハイドロトロープ剤（Ｅ１）が、トルエンスルホン酸、トルエンスルホン酸塩、クメンスルホン酸、クメンスルホン酸塩、安息香酸、安息香酸塩及びエタノールからなる群から選ばれる少なくとも二種である請求項１記載の台所用液体洗浄剤組成物。
【請求項３】
前記ハイドロトロープ剤（Ｅ１）が、トルエンスルホン酸、トルエンスルホン酸塩、クメンスルホン酸、クメンスルホン酸塩、安息香酸及び安息香酸塩からなる群から選ばれる少なくとも一種とエタノールである請求項２記載の台所用液体洗浄剤組成物。
【請求項４】
アルカンスルホン酸塩（Ｂ２）をさらに含有する請求項１〜３のいずれかに記載の台所用液体洗浄剤組成物。
【発明の詳細な説明】
【技術分野】
【０００１】
本発明は、台所用として好適な液体洗浄剤組成物に関する。
【背景技術】
【０００２】
台所用の洗浄剤組成物においては、たとえば、食器や調理用具などに付着した油汚れに対して高い洗浄力が求められている。
洗浄剤組成物の油汚れに対する洗浄力を向上するため、従来、界面活性剤の含有割合の高い洗浄剤組成物が提案されたり、油汚れに対する洗浄力の高い界面活性剤が使用されたりしている。
しかし、その反面、毎日繰り返される食器洗い等により手荒れが生じやすくなり、手肌の感触が悪くなる問題があった。
したがって、台所用の洗浄剤組成物においては、油汚れに対する洗浄力の向上と、手荒れを軽減すること（手肌マイルド性）および洗浄後における手肌の感触が良好であることのいずれも満足できる技術の開発が望まれていた。
【０００３】
前記手荒れへの対策としては、アニオン性基を分子中に１個以上有するオルガノポリシロキサンを含有する硬質表面用の液体洗浄剤が提案されている（特許文献１参照）。
特許文献１に記載された液体洗浄剤では、アニオン性オルガノポリシロキサンが食器等を洗浄する際に水で希釈されると手に吸着し、皮膚上に形成される当該アニオン性オルガノポリシロキサンの層によって、界面活性剤の化学的刺激あるいは洗浄器具（スポンジ等）の物理的刺激から皮膚が防御される、ことにより手荒れが少なくなると考えられている。
【０００４】
また、洗浄剤組成物においては、洗浄成分として使用される界面活性剤の皮膚等に対する化学的刺激を緩和するため、一般的にノニオン性界面活性剤が用いられている。
【先行技術文献】
【特許文献】
【０００５】
【特許文献１】特開２００３−１１３３９９号公報
【発明の概要】
【発明が解決しようとする課題】
【０００６】
食器洗いの際、洗浄剤組成物を用いても落ちにくい汚れとして、たとえばタッパ容器などの樹脂製の容器に付着した油汚れが挙げられる。かかる油汚れに対する洗浄力の向上も、台所用の洗浄剤組成物には求められている。
しかしながら、特許文献１に記載された液体洗浄剤では、実施例において、モデル汚染食器を洗浄できた皿の枚数が、最も多くて１０枚であり充分とはいえず、油汚れに対する洗浄力のさらなる向上が望まれていた。
また、特許文献１に記載された液体洗浄剤は、洗浄後の手荒れの少なさを課題の一つとしているが、洗浄後の手の感触を改善するものの、手荒れ自体を充分に軽減できるものではなかった。また、洗浄後の手の感触は、食器洗いを行う前と同じ程度の感触に保たれているとはいえず、未だ充分なものではなかった。
【０００７】
洗浄成分としてノニオン性界面活性剤を用いる方法は、他の界面活性剤を用いた場合に比べて、皮膚等に対する化学的刺激は緩和しやすいものの、洗浄後における手肌の感触を良好にするまでには至っていない。
そのため、従来の方法では、食器洗いを行った後における手肌の感触を、食器洗いを行う前と同じ程度の感触に保つことは困難であった。
一方、手肌の感触を良好に保つため、台所用の洗浄剤組成物において、洗浄成分と共に感触付与成分を配合すると、油汚れに対する洗浄力が低下しやすい問題があった。さらに、その際に洗浄剤組成物は白濁を起こしやすく、低温下での経時保存だけでなく、室温下での経時保存においても、透明外観を安定に確保することが困難であった。
【０００８】
本発明は、上記事情に鑑みてなされたものであり、油汚れに対する洗浄力が良好であり、手肌マイルド性に優れ、かつ、洗浄後における手肌の感触を洗浄前と同じ程度に保つことができ、さらに透明外観を安定に確保できる、台所用液体洗浄剤組成物を提供することを課題とする。
【課題を解決するための手段】
【０００９】
本発明者らは鋭意検討した結果、上記課題を解決するために、以下の手段を提供する。
すなわち、本発明の台所用液体洗浄剤組成物は、ノニオン性界面活性剤（Ａ）と、下記の数式（Ｓ）で表されるナロー率が５５質量％以上のポリオキシエチレンアルキルエーテル硫酸エステル塩（Ｂ１）と、アミンオキシド型界面活性剤及び／又は両性界面活性剤（Ｃ）と、ポリエーテル変性シリコーン（Ｄ）と、トルエンスルホン酸、トルエンスルホン酸塩、クメンスルホン酸、クメンスルホン酸塩、安息香酸、安息香酸塩及びエタノールからなる群から選ばれる少なくとも一種のハイドロトロープ剤（Ｅ１）とを含有することを特徴とする。
【００１０】
【数１】
2010037552.tif 000002
［式中、ｎｍａｘは全体のアルキレンオキシド付加体中に最も多く存在するアルキレンオキシド付加体のアルキレンオキシドの付加モル数を示す。ｉはアルキレンオキシドの付加モル数を示す。Ｙｉは全体のアルキレンオキシド付加体中に存在するアルキレンオキシドの付加モル数がｉであるアルキレンオキシド付加体の割合（質量％）を示す。］
【００１１】
本発明の台所用液体洗浄剤組成物においては、前記ハイドロトロープ剤（Ｅ１）が、トルエンスルホン酸、トルエンスルホン酸塩、クメンスルホン酸、クメンスルホン酸塩、安息香酸、安息香酸塩及びエタノールからなる群から選ばれる少なくとも二種であることが好ましい。
また、本発明の台所用液体洗浄剤組成物においては、前記ハイドロトロープ剤（Ｅ１）が、トルエンスルホン酸、トルエンスルホン酸塩、クメンスルホン酸、クメンスルホン酸塩、安息香酸及び安息香酸塩からなる群から選ばれる少なくとも一種とエタノールであることが好ましい。
また、本発明の台所用液体洗浄剤組成物においては、アルカンスルホン酸塩（Ｂ２）をさらに含有することが好ましい。
【発明の効果】
【００１２】
本発明によれば、油汚れに対する洗浄力が良好であり、手肌マイルド性に優れ、かつ、洗浄後における手肌の感触を洗浄前と同じ程度に保つことができ、さらに透明外観を安定に確保できる、台所用液体洗浄剤組成物を提供することができる。
【発明を実施するための形態】
【００１３】
≪台所用液体洗浄剤組成物≫
本発明の台所用液体洗浄剤組成物は、ノニオン性界面活性剤（Ａ）と、前記ナロー率が５５質量％以上のポリオキシエチレンアルキルエーテル硫酸エステル塩（Ｂ１）と、アミンオキシド型界面活性剤及び／又は両性界面活性剤（Ｃ）と、ポリエーテル変性シリコーン（Ｄ）と、特定のハイドロトロープ剤（Ｅ１）とを含有する。
【００１４】
＜（Ａ）成分＞
本発明において、（Ａ）成分はノニオン性界面活性剤である。
（Ａ）成分は、特に限定されるものではなく、たとえばポリオキシアルキレンアルキルエーテル、エステル型ポリオキシアルキレンアルキルエーテル、アルカノールアミド、ポリオキシエチレンアルカノールアミド等のアルカノールアミド誘導体、ポリオキシエチレンソルビタンエステル（炭素数８〜１６、オキシエチレン基の平均繰返し数１〜１０）、ソルビタンエステル（炭素数８〜１６）、ソルビトールエステル（炭素数８〜１６）、蔗糖脂肪酸エステル（炭素数６〜１６）、メチルグルコシドエステル（炭素数６〜１６）、メチルマンノシドエステル（炭素数６〜１６）、エチルグルコシドエステル（炭素数６〜１６）、Ｎ−メチルグルカミド（炭素数６〜１６）、環状Ｎ−メチルグルカミド（炭素数６〜１６）、アルキルグルコシド（炭素数６〜１６）、アルキルポリグルコシド（炭素数６〜１６）、アルキルグリセリルエーテル（炭素数６〜１６）が挙げられる。
【００１５】
上記のなかで、ポリオキシアルキレンアルキルエーテルの好適なものとしては、下記一般式（Ｉ）で表される化合物（Ｉ）が例示できる。
【００１６】
【化１】
2010037552.tif 000003
［式（Ｉ）中、Ｒ１１は炭素数８〜１８のアルキル基又はアルケニル基を表し、Ｒ１２は水素原子又は炭素数１〜３のアルキル基を表し、ｍ１は３〜２５の数であり、ＡＯは炭素数２〜４のオキシアルキレン基を表す。］
【００１７】
前記式（Ｉ）中、Ｒ１１は、炭素数８〜１８のアルキル基又は炭素数８〜１８のアルケニル基を表し、直鎖状であってもよく、分岐鎖状であってもよい。
Ｒ１１のアルキル基、アルケニル基において、炭素数は８〜１８であり、油汚れに対する洗浄力や製品の低温安定性が向上することから、炭素数１０〜１４が好ましい。
Ｒ１２は、水素原子又は炭素数１〜３のアルキル基を表す。
ｍ１は、オキシアルキレン基の平均繰返し数を示す３〜２５の数であり、５〜２５が好ましい。
ＡＯは炭素数２〜４のオキシアルキレン基を表し、１種単独であってもよく、２種以上が混在していてもよい。２種以上が混在する場合、ランダム状に混在していてもよく、ブロック状に混在していてもよい。
ＡＯがオキシエチレン基の場合、ｍ１は３〜２５の数であり、５〜２５が好ましく、７〜２０がより好ましい。
化合物（Ｉ）として具体的には、前記一般式（Ｉ）において、
Ｒ１１＝炭素数１２の直鎖状のアルキル基、Ｒ１２＝水素原子、ｍ１＝９、ＡＯ＝オキシエチレン基で表される化合物（ポリオキシエチレンアルキルエーテル）；
Ｒ１１＝炭素数１２の直鎖状のアルキル基、Ｒ１２＝水素原子、ｍ１＝１５、ＡＯ＝オキシエチレン基で表される化合物が挙げられる。
【００１８】
また、上記のなかで、エステル型ポリオキシアルキレンアルキルエーテルの好適なものとしては、下記一般式（ＩＩ）で表される化合物（ＩＩ）が例示できる。
【００１９】
【化２】
2010037552.tif 000004
［式（ＩＩ）中、Ｒ２１は炭素数６〜１８のアルキル基又はアルケニル基を表し、ｍ２は３〜２５の数であり、ＡＯは炭素数２〜４のオキシアルキレン基を表す。］
【００２０】
前記式（ＩＩ）中、Ｒ２１は、炭素数６〜１８のアルキル基又はアルケニル基を表し、直鎖状であってもよく、分岐鎖状であってもよい。
Ｒ２１のアルキル基、アルケニル基において、炭素数は６〜１８であり、油汚れに対する洗浄力や製品の低温安定性が向上することから、炭素数８〜１６が好ましい。
ｍ２は、オキシアルキレン基の平均繰返し数を示す３〜２５の数であり、５〜２５が好ましい。
ＡＯは炭素数２〜４のオキシアルキレン基を表し、上記式（Ｉ）におけるＡＯと同じである。
ＡＯがオキシエチレン基の場合、ｍ２は３〜２５の数であり、５〜２５が好ましく、６〜２０がより好ましい。
化合物（ＩＩ）として具体的には、前記一般式（ＩＩ）において、
Ｒ２１＝炭素数１０の直鎖状のアルキル基、ｍ２＝１０、ＡＯ＝オキシエチレン基で表される化合物（ポリオキシエチレンラウリン酸メチルエステル）が挙げられる。
【００２１】
また、上記のなかで、アルカノールアミド又はアルカノールアミド誘導体の好適なものとしては、下記一般式（ＩＩＩ）で表される化合物（ＩＩＩ）が例示できる。
【００２２】
【化３】
2010037552.tif 000005
［式（ＩＩＩ）中、Ｒ３１は炭素数７〜１７のアルキル基を表す。Ｘは水素原子又はヒドロキシエチル基を表し、ｍ３は０〜５の数である。］
【００２３】
前記式（ＩＩＩ）中、Ｒ３１は、炭素数７〜１７のアルキル基を表し、直鎖状であってもよく、分岐鎖状であってもよい。
Ｒ３１のアルキル基において、炭素数は７〜１７であり、油汚れに対する洗浄力や製品の低温安定性が向上することから、炭素数１１〜１３が好ましい。
Ｘは、水素原子又はヒドロキシエチル基を表す。
化合物（ＩＩＩ）として具体的には、前記一般式（ＩＩＩ）において、
Ｒ３１＝炭素数１１の直鎖状のアルキル基、Ｘ＝ヒドロキシエチル基、ｍ３＝０で表される化合物（ラウリン酸ジエタノールアミド）；
Ｒ３１＝炭素数１１の直鎖状のアルキル基、Ｘ＝水素原子、ｍ３＝０で表される化合物（ラウリン酸モノエタノールアミド）；
Ｒ３１＝炭素数１１の直鎖状のアルキル基、Ｘ＝水素原子、ｍ３＝２で表される化合物（ポリオキシエチレン（２）ラウリン酸モノエタノールアミド）が挙げられる。
【００２４】
上記のなかでも、（Ａ）成分としては、手肌マイルド性および油汚れに対する洗浄力が共により良好であることから、ポリオキシアルキレンアルキルエーテル、アルカノールアミド誘導体、アルキルポリグルコシド（炭素数６〜１６）、がより好ましく、ポリオキシアルキレンアルキルエーテル、アルカノールアミド、アルキルポリグルコシド（炭素数６〜１６）がより好ましい。
そのなかでも、ポリオキシアルキレンアルキルエーテルとアルカノールアミド誘導体との組合せがさらに好ましく、ポリオキシアルキレンアルキルエーテルとポリオキシエチレンラウリン酸モノエタノールアミドとの組合せが特に好ましい。
【００２５】
（Ａ）成分は、１種単独で、又は２種以上を混合して用いることができる。
台所用液体洗浄剤組成物における（Ａ）成分の含有量は、１０〜４０質量％であることが好ましく、１０〜３０質量％であることがより好ましく、１３〜２７質量％であることがさらに好ましく、１５〜２５質量％であることが特に好ましい。
（Ａ）成分の含有量が１０質量％以上であると、手肌マイルド性がより向上する。また、油汚れに対する洗浄力がより向上する。さらに、濯ぎ性も向上する。加えて、特に低温条件での保存安定性が向上し、透明外観をより安定に確保できる。
（Ａ）成分の含有量が４０質量％以下であると、液体洗浄剤組成物の高粘度化が抑制され、流動性がより良好となる。また、特に低温下での経時保存で白濁を起こしにくくなる。
【００２６】
＜（Ｂ１）成分＞
本発明において、（Ｂ１）成分は、下記の数式（Ｓ）で表されるナロー率が５５質量％以上のポリオキシエチレンアルキルエーテル硫酸エステル塩（Ｂ１）である。
（Ｂ１）成分を含有することにより、主として、油汚れに対する洗浄力が良好となる。また、液体洗浄剤組成物の保存安定性が良好となり、透明外観を安定に確保できる。特に低温条件での保存安定性に優れる。さらに、手肌マイルド性も良好となる。
【００２７】
【数２】
2010037552.tif 000006
［式中、ｎｍａｘは全体のアルキレンオキシド付加体中に最も多く存在するアルキレンオキシド付加体のアルキレンオキシドの付加モル数を示す。ｉはアルキレンオキシドの付加モル数を示す。Ｙｉは全体のアルキレンオキシド付加体中に存在するアルキレンオキシドの付加モル数がｉであるアルキレンオキシド付加体の割合（質量％）を示す。］
【００２８】
本明細書および本特許請求の範囲において、「ナロー率」とは、アルキレンオキシドの付加モル数が異なるアルキレンオキシド付加体の分布の割合を示し、前記数式（Ｓ）で表されるものを意味する。
（Ｂ１）成分におけるアルキレンオキシド付加体とは、ポリオキシエチレンアルキルエーテル硫酸エステル塩を意味し、アルキレンオキシドとは、エチレンオキシドを意味する。
（Ｂ１）成分において、ナロー率は５５質量％以上であり、油汚れに対する洗浄力がさらに向上することに加えて、泡の持続性も向上することから、ナロー率は６５質量％以上であることがさらに好ましい。ナロー率の上限値は高いほど好ましく、製造性の点から、実質的には９０質量％以下である。
なお、数式（Ｓ）において、ｎｍａｘがゼロ（モル）のとき、ナロー率はＹ０とＹ１とＹ２との合計の割合（質量％）となり；ｎｍａｘが１（モル）のとき、ナロー率はＹ０とＹ１とＹ２とＹ３との合計の割合（質量％）となる。
【００２９】
また、（Ｂ１）成分においては、全体のアルキレンオキシド付加体中に存在する、アルキレンオキシドの付加モル数がゼロであるアルキレンオキシド付加体の割合が２０質量％以下であることが好ましく、１５質量％以下であることがより好ましく、この割合は低いほど好ましく、実質的には１０質量％以上である。この割合が２０質量％以下であると、特に手肌マイルド性がより向上する。
【００３０】
前記ナロー率は、たとえば（Ｂ１）成分の製造方法等によって制御することができる。
（Ｂ１）成分の製造方法としては、たとえば、高級アルコールとエチレンオキシドとを常法により合成した反応生成物から、蒸留等により所望の分子量範囲、すなわち、所望のエチレンオキシド付加モル数を有するポリオキシエチレンアルキルエーテル（アルコールエトキシレート）を分取し、ついで、これを硫酸化反応し、中和することにより得られる。
また、特許第３３１２８８３号公報に記載の方法、すなわち、特定の触媒を使用した方法により、ナロー率５５質量％以上の狭いエチレンオキシド付加モル数の分布をもったポリオキシエチレンアルキルエーテルを得ることができるため、当該ポリオキシエチレンアルキルエーテルを硫酸化反応し、中和することによっても得られる。なお、前記特定の触媒としては、表面改質された複合金属酸化物触媒が挙げられ、具体的には、金属水酸化物等により表面改質された、金属イオン（Ａｌ３＋、Ｇａ３＋、Ｉｎ３＋、Ｔｌ３＋、Ｃｏ３＋、Ｓｃ３＋、Ｌａ３＋、Ｍｎ２＋等）が添加された酸化マグネシウム等の複合金属酸化物触媒や、金属水酸化物及び／または金属アルコキシド等により表面改質されたハイドロタルサイトの焼成物触媒等である。
【００３１】
（Ｂ１）成分の塩の形態としては、ナトリウム、カリウム等のアルカリ金属の塩；カルシウム、マグネシウム等のアルカリ土類金属の塩；トリエタノールアミン等のアルカノールアミン塩、アンモニウム塩が挙げられ、これらが混在していてもよい。なかでも、アルカリ金属の塩が好ましく、ナトリウム塩がより好ましい。
【００３２】
（Ｂ１）成分のなかで好適なものとしては、たとえば、下記一般式（Ｂ１−１）で表されるポリオキシエチレンアルキルエーテル硫酸エステル塩が挙げられる。
【００３３】
【化４】
2010037552.tif 000007
［式中、Ｒ６は炭素数８〜１８のアルキル基又はアルケニル基であり；ｎはエチレンオキシドの平均付加モル数を示し、１〜６である。Ｍはアルカリ金属原子、アルカリ土類金属原子、アルカノールアミン又はアンモニウムを表す。］
【００３４】
前記式（Ｂ１−１）中、Ｒ６は、炭素数８〜１８のアルキル基又は炭素数８〜１８のアルケニル基であり、炭素数８〜１８のアルキル基が好ましい。該アルキル基又は該アルケニル基は、直鎖状であってもよく、分岐鎖状であってもよい。
Ｒ６において、炭素数は８〜１８であり、１０〜１６が好ましく、１２〜１３がより好ましい。Ｒ６の炭素数が８以上であると、疎水性が高まるため、油汚れに対する洗浄力が向上する。一方、Ｒ６の炭素数が１８以下であれば、（Ｂ１）成分自体の溶解性が良好となるため、経時保存時における析出などが抑制されて透明外観が得られやすくなる。
ただし、Ｒ６は、（Ｂ１）成分の原料である高級アルコールに由来する。そのため、該高級アルコールは、工業的に入手が容易な下記（ａ）〜（ｅ）から選択されることが好ましい。なお、「分岐率」とは、全高級アルコールに対する、分岐鎖をもつ高級アルコールの割合（質量％）を示す。
（ａ）シェルケミカルズ社製、商品名「ネオドール２３」（分岐率：２０質量％）。これは、ｎ−オレフィンから改良オキソ法により生成し、精留されたものである。
（ｂ）ブテンの３量体からオキソ法により得られる炭素数１３のアルコール（分岐率：１００質量％）。
（ｃ）中鎖アルコールからガーベット反応により得られる高級アルコール（分岐率：１００質量％）。
（ｄ）Ｓａｓｏｌ社製、商品名「Ｓａｆｏｌ２３」（分岐率：５０質量％）。これは、石炭のガス化によって得られるオレフィンからオキソ法によりアルコールを得て、さらに水素化されたものである。
（ｅ）天然油脂から合成された天然系高級アルコール（分岐率：０質量％）。
【００３５】
前記式（Ｂ１−１）中、ｎは、エチレンオキシドの平均付加モル数を示し、１〜６である。なかでも、油汚れに対する洗浄力が向上することから、１〜５が好ましく、１〜３がより好ましい。
なお、ここでのｎは、エチレンオキシドの「平均」付加モル数を示している。したがって、式（Ｂ１−１）で表されるポリオキシエチレンアルキルエーテル硫酸エステル塩は、エチレンオキシドの付加モル数が異なるエチレンオキシド付加体の集合物である。ナロー率は、その集合物のなかで、最も多く存在するエチレンオキシド付加体（ポリオキシエチレンアルキルエーテル硫酸エステル塩）のエチレンオキシドの付加モル数を「ｎｍａｘ」とすることにより前記数式（Ｓ）から求められる。
【００３６】
前記式（Ｂ１−１）中、Ｍは、アルカリ金属原子、アルカリ土類金属原子、アルカノールアミン又はアンモニウムを表す。
具体的には、ナトリウム、カリウム、リチウム等のアルカリ金属原子；カルシウム、マグネシウム等のアルカリ土類金属原子；モノエタノールアミン、ジエタノールアミン、トリエタノールアミン等のアルカノールアミン；アンモニウム等が挙げられ、これらが混在していてもよい。なかでも、Ｍとしては、アルカリ金属原子が好ましく、ナトリウムが特に好ましい。
【００３７】
（Ｂ１）成分は、たとえば以下のようにして製造できる。
高級アルコール、好ましくは前記（ａ）〜（ｅ）から選択される高級アルコールに、エチレンオキシドを付加させてポリオキシエチレンアルキルエーテル（アルコールエトキシレート）を得る。エチレンオキシドを付加させる際に用いる触媒としては、たとえば特許第３３１２８８３号公報に記載のＡｌ／Ｍｇ／Ｍｎで構成される複合金属酸化物ルイス酸焼結固体触媒が好ましい。これにより、エチレンオキシドの付加モル数分布の狭いものが得られる。
得られたポリオキシエチレンアルキルエーテルを、サルファンでスルホン化あるいは硫酸化することによりポリオキシエチレンアルキルエーテル硫酸エステルを製造でき、さらに中和することによりポリオキシエチレンアルキルエーテル硫酸エステル塩を製造できる。
【００３８】
（Ｂ１）成分は、１種単独で、又は２種以上を混合して用いることができる。
台所用液体洗浄剤組成物における（Ｂ１）成分の含有量は、１〜１５質量％であることが好ましく、３〜１０質量％であることがより好ましく、６〜１０質量％であることがさらに好ましい。
（Ｂ１）成分の含有量が１質量％以上であると、油汚れに対する洗浄力がより向上する。また、液体洗浄剤組成物の透明外観をより安定に保ちやすくなる。
（Ｂ１）成分の含有量が１５質量％以下であると、手肌のマイルド性がより良い傾向になる。また、特に低温下での経時保存で白濁を起こしにくくなる。
【００３９】
＜（Ｃ）成分＞
本発明において、（Ｃ）成分は、アミンオキシド型界面活性剤及び／又は両性界面活性剤である。
【００４０】
（アミンオキシド型界面活性剤）
アミンオキシド型界面活性剤としては、たとえばアルキルアミンオキシド、アルキルアミドプロピルジメチルアミンオキシドが挙げられる。
なかでも、下記一般式（ＩＶ）で表される化合物が好適なものとして挙げられる。
【００４１】
【化５】
2010037552.tif 000008
［式（ＩＶ）中、Ｒ１は、炭素数８〜１８の直鎖状若しくは分岐鎖状のアルキル基又はアルケニル基であり；Ｒ２、Ｒ３は、それぞれ独立して炭素数１〜３のアルキル基又はヒドロキシアルキル基であり；Ｒ４は炭素数１〜４のアルキル基である。Ｂは−ＣＯＮＨ−、−ＮＨＣＯ−、−ＣＯＯ−、−ＯＣＯ−又は−Ｏ−であり；ｒは０又は１の数である。］
【００４２】
前記式（ＩＶ）中、Ｒ１は、炭素数８〜１８の直鎖状若しくは分岐鎖状のアルキル基、又は炭素数８〜１８の直鎖状若しくは分岐鎖状のアルケニル基であり、炭素数８〜１８の直鎖状若しくは分岐鎖状のアルキル基が好ましい。
Ｒ１のアルキル基、アルケニル基において、炭素数は８〜１８であり、油汚れに対する洗浄力がより向上することから、１０〜１４であることが好ましい。
Ｒ２、Ｒ３は、それぞれ独立して、炭素数１〜３のアルキル基、又は炭素数１〜３のヒドロキシアルキル基であり、炭素数１〜３のアルキル基が好ましく、メチル基がより好ましく、Ｒ２およびＲ３はいずれもメチル基であることがさらに好ましい。
Ｒ４は、炭素数１〜４のアルキル基である。
Ｂは−ＣＯＮＨ−、−ＮＨＣＯ−、−ＣＯＯ−、−ＯＣＯ−又は−Ｏ−である。
ｒは、０又は１の数であり、０が好ましい。
【００４３】
アミンオキシド型界面活性剤として具体的には、ラウリルジメチルアミンオキシド、ヤシアルキルジメチルアミンオキシド、ラウリルジエチルアミンオキシドなどのアルキルジメチルアミンオキシド系のもの；ラウリン酸アミドプロピルアミンオキシドなどのアルカノイルアミドアルキルジメチルアミンオキシド系のもの等が挙げられる。
【００４４】
（両性界面活性剤）
両性界面活性剤としては、たとえば、アミノ酢酸ベタイン、スルホベタイン等のベタイン型のもの；グリシン系のもの、アミノプロピオン酸系のもの等のアミノ酸型のものが挙げられる。
具体的には、ラウリルジメチルアミノ酢酸ベタイン、ラウリン酸アミドプロピルジメチルアミノ酢酸ベタイン等のアミノ酢酸ベタイン；Ｎ−ラウリル−Ｎ，Ｎ−ジメチルアンモニウム−Ｎ−プロピルスルホベタイン、Ｎ−ラウリル−Ｎ，Ｎ−ジメチルアンモニウム−Ｎ−（２−ヒドロキシプロピル）スルホベタイン等のスルホベタイン；２−ラウリル−Ｎ−カルボキシメチル−Ｎ−ヒドロキシエチルイミダゾリニウムベタイン、ラウリルジアミノエチルグリシンナトリウム等のグリシン系のもの；ラウリルアミノプロピオン酸ナトリウム、ラウリルアミノジプロピオン酸ナトリウム等のアミノプロピオン酸系のものが挙げられる。
【００４５】
（Ｃ）成分は、１種単独で、又は２種以上を混合して用いることができる。
台所用液体洗浄剤組成物における（Ｃ）成分の含有量は、１〜１０質量％であることが好ましく、１〜８質量％であることがより好ましく、２〜６質量％であることがさらに好ましい。
（Ｃ）成分の含有量が１質量％以上であると、油汚れに対する洗浄力および手肌のマイルド性がより向上する。
（Ｃ）成分の含有量が１０質量％以下であると、低温での保存安定性が向上する効果が得られる。また、液体洗浄剤組成物の高粘度化が抑制され、流動性がより良好となる。
【００４６】
＜（Ｄ）成分＞
本発明において、（Ｄ）成分はポリエーテル変性シリコーンである。
（Ｄ）成分は、重量平均分子量が２０００〜３００００の範囲内であることが好ましく、５０００〜２５０００の範囲内であることがより好ましい。
（Ｄ）成分の重量平均分子量が２０００以上であると、手肌への感触付与効果が高まって、洗浄後における手肌の感触がより良好となる。また、油汚れに対する洗浄力がより向上する。
（Ｄ）成分の重量平均分子量が３００００以下であると、（Ｄ）成分自体の粘度が高くなりすぎず、取扱い性が良好となって、液体洗浄剤組成物の配合がより容易となる。
なお、（Ｄ）成分の重量平均分子量は、標準物質をポリスチレンとしてゲルパーミエーションクロマトグラフィー（ＧＰＣ）で分析を行った値を示す。
【００４７】
（Ｄ）成分は、ポリエーテル基を有しないジメチルシリコーンに比べて、高分子量の分子であっても水等への溶解性が非常に高いものである。
（Ｄ）成分の分子構造は、直鎖状であってもよく、分岐鎖状であってもよく、架橋していてもよい。
（Ｄ）成分としては、たとえば直鎖変性タイプ、側鎖変性タイプが挙げられ、側鎖変性タイプが好ましい。
【００４８】
直鎖変性タイプとして具体的には、東レ・ダウコーニング（株）製のＦＺ−２２３３、ＦＺ−２２３１（以上、商品名）が挙げられる。
【００４９】
側鎖変性タイプのなかで好適なものとしては、アルキル（好ましくはアルキル基の炭素数１〜３）シロキサン基と、ポリオキシアルキレン基（好ましくはアルキレン基の炭素数２〜５）を有するアルキルシロキサン基との共重合体が挙げられる。
「ポリオキシアルキレン基」としては、ポリオキシエチレン基、ポリオキシプロピレン基、ポリオキシエチレン基とポリオキシプロピレン基とが混在したものが好適なものとして挙げられる。
前記アルキルシロキサン基と、前記ポリオキシアルキレン基を有するアルキルシロキサン基とは、ランダム状に重合していてもよく、ブロック状に重合していてもよい。
側鎖変性タイプとして具体的には、東レ・ダウコーニング（株）製のＳＨ３７７２Ｍ、ＳＨ３７７５Ｍ、ＳＨ３７４８、ＳＨ３７４９、ＳＦ８４１０、ＢＹ２２−００８（以上、商品名）；信越化学工業（株）製のＫＦ６０１６、ＫＦ６０１７（以上、商品名）が挙げられる。
【００５０】
上記側鎖変性タイプのポリエーテル変性シリコーンとしては、下記一般式（Ｖ）で表される化合物（Ｖ）が好適に挙げられる。
【００５１】
【化６】
2010037552.tif 000009
［式（Ｖ）中、Ｒ５は水素原子又はアルキル基を示す。ｈは２〜１００の数であり、ｉは０〜５０の数であり、ｊは５〜１００００の数であり、ｋは１〜１０００の数である。］
【００５２】
前記式（Ｖ）中、Ｒ５は、水素原子又はアルキル基を示す。
Ｒ５のアルキル基は、炭素数１〜４が好ましく、組成物への溶解力が良好であることからメチル基がより好ましい。
ｈは、オキシエチレン基の平均繰返し数を示す２〜１００の数であり、組成物への溶解力が向上することから、５〜２０の数がより好ましい。
ｉは、オキシプロピレン基の平均繰返し数を示す０〜５０の数であり、組成物への溶解力が向上することから、０〜１０の数がより好ましい。
ｊは、ジメチルシロキサン基の平均重合度を示す５〜１００００の数であり、組成物への溶解力が向上することから、５〜１０００の数がより好ましい。
ｋは、メチルポリオキシアルキレンプロピルシロキサン基の平均重合度を示す１〜１０００の数であり、組成物への溶解力が向上することから、１〜５０の数がより好ましい。
ｊとｋとは、手肌への感触付与効果が向上することから、ｊ＞ｋであることが好ましい。
【００５３】
前記一般式（Ｖ）においては、マイルド性の観点から、ｊ＋ｋは、上記範囲内で大きい方が好ましい。
【００５４】
前記一般式（Ｖ）で表される化合物（Ｖ）は、一般に、Ｓｉ−Ｈ基を有するメチルハイドロジェンポリシロキサンと、例えばポリオキシアルキレンアリルエーテルなどの炭素−炭素二重結合を末端に有するポリオキシアルキレンアルキルエーテルとを付加反応することによって製造することができる。
化合物（Ｖ）の製造の際、やむを得ず混入する未反応物などの低分子量化合物は、可能な限りストリッピング等の精製工程などにより除去することが好ましい。
【００５５】
メチルハイドロジェンポリシロキサンは、以下に示すような、常法により製造することができる。
具体的な製造方法としては、まず、金属ケイ素と塩化メチルとを銅触媒存在下で加熱する直接法により、メチルクロロシラン類を得る。
次に、このメチルクロロシラン類から分留したジメチルジクロロシラン（沸点７０．２℃）と、トリメチルクロロシラン（沸点５７．３℃）と、メチルハイドロジェンジクロロシラン（沸点４０．４℃）とを、所定の比率で混合し、多量の水を加えて加水分解することにより、環状及び直鎖状のジメチルシロキサンとメチルハイドロジェンシロキサン共重合体との混合物を得る。さらに、得られた環状及び直鎖状のジメチルシロキサンとメチルハイドロジェンシロキサン共重合体との混合物は、蒸留により低重合度の環状体（四量体、五量体）を分離して、オルガノハイドロジェンポリシロキサンの重合に用いる。
オルガノハイドロジェンポリシロキサンは、低重合度の環状体を、アルカリ又は強酸を触媒として加熱し、シロキサン結合の開裂と再結合を含む重合反応により得ることができる。アルカリ触媒による環状体の重合は、アルカリ金属水酸化物を触媒とし、１５０℃程度の高温で行われる。ただし、アルカリ金属水酸化物のなかでも水酸化リチウムと水酸化ナトリウムは、この温度でも低重合度の環状体に溶解せず、環状体を重合させることができないため、好ましくない。また、酸触媒による環状体の重合は、硫酸、塩酸、リン酸、活性白土、塩化鉄、ホウ酸、トリフルオロ酢酸などを触媒とし、常温又は加温して行うことができる。
ただし、ジメチルポリシロキサンの場合には、酸・塩基のどちらでも重合できるが、Ｓｉ−Ｈ基を有するオルガノハイドロジェンポリシロキサン（メチルハイドロジェンポリシロキサン）の場合に塩基性触媒を使用すると、重合中にＳｉ−Ｈ基が分解してゲル化するため、好ましくない。このようなメチルハイドロジェンポリシロキサンの重合は、触媒を中和することによって停止させ、その後、副生した環状体をストリッピングにて除去し、目的のメチルハイドロジェンポリシロキサンの製造は完了する。
【００５６】
（Ｄ）成分の具体的な例としては、東レ・ダウコーニング（株）製のＳＨ３７７１Ｍ、ＳＨ３７７３Ｍ、ＳＨ３７７２Ｍ、ＳＨ３７７５Ｍ、ＳＨ３７４８、ＳＨ３７４９、ＳＦ８４１０、ＳＨ８７００、ＢＹ２２−００８、ＳＦ８４２１（以上、商品名）；信越化学工業（株）製のＫＦ３５２Ａ、ＫＦ６００８、ＫＦ６１５Ａ、ＫＦ６０１６、ＫＦ６０１７（以上、商品名）；ＧＥ東芝シリコーン（株）製のＴＳＦ４４５０、ＴＳＦ４４５２（以上、商品名）等が挙げられる。
これらの中でも、洗浄後における手肌の感触（サラサラ感）がさらに良好であることから、ＳＨ３７７１Ｍ、ＳＨ３７７３Ｍ、ＳＨ３７７２Ｍ 、ＳＨ３７７５Ｍ、ＢＹ２２−００８、ＫＦ６０１７（以上、商品名）等がより好ましい。
なお、上記例示のポリエーテル変性シリコーンは市販品であり、容易に入手が可能である。
【００５７】
（Ｄ）成分は、１種単独で、又は２種以上を混合して用いることができる。
台所用液体洗浄剤組成物における（Ｄ）成分の含有量は、０．１〜１０質量％であることが好ましく、０．５〜５質量％であることがより好ましく、１〜５質量％であることがさらに好ましい。
（Ｄ）成分の含有量が０．１質量％以上であると、洗浄後における手肌の感触を洗浄前と同じ程度により保ちやすくなる。また、油汚れに対する洗浄力が向上する。
（Ｄ）成分の含有量が１０質量％以下であると、溶解性がより良好となって液体洗浄剤組成物の透明外観をより保ちやすくなり、安定に配合しやすくなる。
【００５８】
＜（Ｅ１）成分＞
本発明において、（Ｅ１）成分は、トルエンスルホン酸、トルエンスルホン酸塩、クメンスルホン酸、クメンスルホン酸塩、安息香酸、安息香酸塩及びエタノールからなる群から選ばれる少なくとも一種のハイドロトロープ剤である。
（Ｅ１）成分を含有することにより、液体洗浄剤組成物の保存安定性が向上して透明外観をより安定に確保しやすくなる。
【００５９】
トルエンスルホン酸、トルエンスルホン酸塩、クメンスルホン酸、クメンスルホン酸塩は、それぞれｏ体、ｍ体、ｐ体の３異性体のいずれでもよく、これらのなかでも容易に入手が可能なことからｐ体が好ましく、ｐ−トルエンスルホン酸、ｐ−トルエンスルホン酸塩がより好ましい。
トルエンスルホン酸塩、クメンスルホン酸塩、安息香酸塩における塩の形態としては、ナトリウム、カリウム等のアルカリ金属の塩；マグネシウム、カルシウム等のアルカリ土類金属の塩；アンモニウム塩；モノエタノールアミン、ジエタノールアミン、トリエタノールアミン等のアルカノールアミン塩が挙げられる。なかでも、アルカリ金属の塩が好ましく、ナトリウム塩がより好ましい。
【００６０】
上記のなかでも、（Ｅ１）成分としては、特に低温条件であっても保存安定性に優れることから、トルエンスルホン酸、トルエンスルホン酸塩、クメンスルホン酸、クメンスルホン酸塩、安息香酸、安息香酸塩及びエタノールからなる群から選ばれる少なくとも二種であることが好ましく、そのなかでも、トルエンスルホン酸、トルエンスルホン酸塩、クメンスルホン酸、クメンスルホン酸塩、安息香酸及び安息香酸塩からなる群から選ばれる少なくとも一種（以下この群から選ばれるハイドロトロープ剤を「（Ｅ２）成分」という。）と、エタノールとを併用することがより好ましい。
【００６１】
台所用液体洗浄剤組成物における（Ｅ１）成分の含有量は、５〜２０質量％であることが好ましく、６〜１２質量％であることがより好ましい。
（Ｅ１）成分の含有量が５質量％以上であると、液体洗浄剤組成物の低温条件での保存安定性がより向上する。
（Ｅ１）成分の含有量が２０質量％以下であると、液体洗浄剤組成物の透明外観をより安定に保ちやすくなる。
【００６２】
台所用液体洗浄剤組成物における、トルエンスルホン酸又はトルエンスルホン酸塩の含有量は１〜５質量％であることが好ましく、クメンスルホン酸又はクメンスルホン酸塩の含有量は１〜５質量％であることが好ましく、安息香酸又は安息香酸塩の含有量は１〜５質量％であることが好ましく、エタノールの含有量は１〜１０質量％であることが好ましい。
いずれのハイドロトロープ剤も、その含有量が前記範囲であると、液体洗浄剤組成物の透明外観をより安定に保ちやすくなる。
【００６３】
（Ｅ１）成分として、前記（Ｅ２）成分とエタノールとを併用する場合、（Ｅ２）成分とエタノールとの混合割合は、質量比で、（Ｅ２）成分／エタノール＝３／１０〜１５／１０であることが好ましく、５／１０〜１３／１０であることがより好ましい。
エタノールに対する（Ｅ２）成分の配合割合が下限値以上であると、低温条件で透明外観をより保ちやすくなり、上限値以下であると、液体洗浄剤組成物の高粘度化が抑制されて流動性が良好になる。
【００６４】
＜任意成分＞
本発明の台所用液体洗浄剤組成物には、前記（Ａ）、（Ｂ１）、（Ｃ）、（Ｄ）、（Ｅ１）成分以外に、必要に応じて通常、硬質表面用又は衣料用等の液体洗浄剤組成物に用いられている成分を、本発明の効果を損なわない範囲で適宜、配合することができる。
具体的には、（Ａ）成分、（Ｂ１）成分および（Ｃ）成分以外の界面活性剤として、アルキルトリメチルアンモニウム塩、ジアルキルジメチルアンモニウム塩、アルキルピリジニウム塩等のカチオン性界面活性剤；アニオン性界面活性剤（ただし、（Ｂ１）成分を除く）が挙げられる。
【００６５】
（アニオン性界面活性剤）
アニオン性界面活性剤（ただし、（Ｂ１）成分を除く）の好適なものとしては、大別すると、カルボン酸塩タイプ、スルホン酸塩タイプ、硫酸エステル塩タイプ、リン酸エステルタイプが挙げられる。これらのうち、スルホン酸塩タイプ、硫酸エステル塩タイプがより好ましく、スルホン酸塩タイプが特に好ましい。
スルホン酸塩タイプとしては、アルキルベンゼンスルホン酸塩、アルカンスルホン酸塩（Ｂ２）、α−オレフィンスルホン酸塩、α−スルホ脂肪酸アルキルエステル塩等が挙げられる。なかでも、油汚れに対する洗浄力及び液体洗浄剤組成物の保存安定性が良好であることから、アルカンスルホン酸塩（Ｂ２）が好ましく、セカンダリーアルカンスルホン酸塩がより好ましい。
硫酸エステル塩タイプとしては、アルキル硫酸エステル塩、アルケニル硫酸エステル塩、ポリオキシエチレンアルキルエーテル硫酸エステル塩（ＡＥＳ）、ポリオキシエチレンアルケニル硫酸エステル塩等が挙げられる。
【００６６】
アニオン性界面活性剤の塩の形態としては、ナトリウム、カリウム等のアルカリ金属の塩；カルシウム、マグネシウム等のアルカリ土類金属の塩；トリエタノールアミン等のアルカノールアミン塩、アンモニウム塩が挙げられ、これらが混在していてもよい。なかでも、アルカリ金属の塩が好ましく、ナトリウム塩がより好ましい。
【００６７】
上記のなかでも、本発明の台所用液体洗浄剤組成物においては、アニオン性界面活性剤として、油汚れに対する洗浄力及び液体洗浄剤組成物の保存安定性が特に良好であることから、アルカンスルホン酸塩（Ｂ２）をさらに含有することが好ましく、セカンダリーアルカンスルホン酸塩をさらに含有することが特に好ましい。
【００６８】
セカンダリーアルカンスルホン酸塩を用いると、本発明においては、上記（Ｄ）成分を含有していても、泡の持続性に優れ、油汚れに対する洗浄力がより向上する。
セカンダリーアルカンスルホン酸塩は、「パラフィンスルホン酸塩」とも呼ばれる界面活性剤であって、通常、１分子当たり炭素数１０〜２１の二級アルキルスルホン酸塩の混合物の形態で提供される。
本発明においては、この混合物中に１分子当たり炭素数１３〜１８の二級アルキルスルホン酸塩を８０質量％以上含有するものが好ましく、９０質量％以上含有するものがさらに好ましい。なお、この混合物には、少量の一級アルキルスルホン酸塩、ジスルホン酸塩、ポリスルホン酸塩が含まれていてもよい。
【００６９】
アルカンスルホン酸塩（Ｂ２）のなかで好適なものとしては、たとえば、下記一般式（Ｂ２−１）で表されるセカンダリーアルカンスルホン酸塩が挙げられる。
【００７０】
【化７】
2010037552.tif 000010
［式中、ｐ＋ｑ＝１０〜１４であり；Ｍはアルカリ金属原子、アルカリ土類金属原子、アルカノールアミン又はアンモニウムを表す。］
【００７１】
前記式（Ｂ２−１）中、ｐ＋ｑ＝１０〜１４であり、すなわち、式（Ｂ２−１）で表される成分は、炭素数１３〜１７（ただし、式（Ｂ２−１）におけるＭ中の炭素数を除く。）の二級アルキルスルホン酸塩である。
ｐ＋ｑ＝１０以上であると、油汚れに対する洗浄力が向上する。一方、ｐ＋ｑ＝１４以下であると、式（Ｂ２−１）で表される成分自体の溶解性が良好となるため、保存時における析出などが抑制される。
前記式（Ｂ２−１）中、Ｍは、前記式（Ｂ１−１）におけるＭと同じであり、なかでもアルカリ金属原子が好ましく、ナトリウムが特に好ましい。
【００７２】
アルカンスルホン酸塩（Ｂ２）として好適に用いることができる市販品としては、
ＨＯＳＴＡＰＵＲ  ＳＡＳ  ３０（商品名、クラリアントジャパン（株）製；炭素数１３〜１７の二級アルキルスルホン酸ナトリウムの含有量が９０質量％以上）、
ＨＯＳＴＡＰＵＲ  ＳＡＳ  ６０（商品名、クラリアントジャパン（株）製；炭素数１３〜１７の二級アルキルスルホン酸ナトリウムの含有量が９０質量％以上）、
ＭＥＲＳＯＬ８０（商品名、Ｂａｙｅｒ社製；平均炭素数１５（炭素数１３〜１７の二級アルキルスルホン酸ナトリウムの含有量が８０質量％以上））、
ＭＡＲＬＯＮシリーズ（ＳＡＳＯＬ社製；ＰＳ６５、ＰＳ６０、ＰＳ６０Ｗ（以上、商品名）、炭素数１０〜１８（炭素数１３〜１７の二級アルキルスルホン酸ナトリウムの含有量が９０質量％以上））が挙げられる。
【００７３】
アニオン性界面活性剤は、１種単独で、又は２種以上を混合して用いることができる。
台所用液体洗浄剤組成物におけるアニオン性界面活性剤の含有量は、上述した（Ｂ１）成分を含めた合計量として１〜１５質量％であることが好ましく、３〜１０質量％であることがより好ましく、６〜１０質量％であることがさらに好ましい。
アニオン性界面活性剤の含有量が１質量％以上であると、油汚れに対する洗浄力がより向上する。また、液体洗浄剤組成物の透明外観をより安定に保ちやすくなる。
アニオン性界面活性剤の含有量が１５質量％以下であると、手肌のマイルド性がより良い傾向になる。
【００７４】
アニオン性界面活性剤としてアルカンスルホン酸塩（Ｂ２）を用いる場合、台所用液体洗浄剤組成物における（Ｂ２）成分の含有量は、１〜１０質量％であることが好ましく、１〜５質量％であることがより好ましい。
（Ｂ２）成分の含有量が１質量％以上であると、油汚れに対する洗浄力がより向上し、１０質量％以下であると、手肌のマイルド性がより良い傾向になる。また、特に低温下での経時保存で白濁を起こしにくくなる。
【００７５】
本発明の台所用液体洗浄剤組成物においては、（Ａ）成分と、上述した（Ｂ１）成分を含むアニオン性界面活性剤の全部と、（Ｃ）成分との合計の含有量が２０〜５０質量％であることが好ましく、２３〜４０質量％であることがより好ましく、２５〜４０質量％であることがさらに好ましい。
かかる合計の含有量が２０質量％以上であると、油汚れに対する洗浄力および泡の持続性がより向上する。また、液体洗浄剤組成物の透明外観をより安定に保ちやすくなる。
かかる合計の含有量が５０質量％以下であると、液体洗浄剤組成物の高粘度化が抑制され、液体洗浄剤組成物を安定に調製できる。
【００７６】
（ハイドロトロープ剤）
また、本発明の台所用液体洗浄剤組成物には、（Ｅ１）成分以外のハイドロトロープ剤を配合してもよい。
（Ｅ１）成分以外のハイドロトロープ剤としては、プロピレングリコール、ポリエチレングリコール等の水溶性溶剤；キシレンスルホン酸、置換もしくは非置換ナフタレンスルホン酸等の芳香族スルホン酸又はそれらの塩等が挙げられる。
【００７７】
また、本発明の台所用液体洗浄剤組成物には、キレート剤として、グリコール酸、クエン酸、グルコン酸等のヒドロキシカルボン酸；エチレンジアミン四酢酸、ヒドロキシエチルエチレンジアミン三酢酸等のアミノカルボン酸；ポリアクリル酸、アクリル酸／マレイン酸の共重合体等を配合することができる。
また、本発明の台所用液体洗浄剤組成物には、任意成分として、水酸化ナトリウム、硫酸等のｐＨ調整剤；硫酸マグネシウム、硫酸亜鉛等の無機ビルダー；香料、色素、ラジカルトラップ剤等も配合することができる。
【００７８】
本発明の台所用液体洗浄剤組成物のｐＨは、２５℃でのｐＨが５〜８であることが好ましく、ｐＨが５．３〜７であることがより好ましい。
台所用液体洗浄剤組成物のｐＨが５以上であると、（Ｂ１）成分と（Ｃ）成分との相互作用が強すぎず、適度に抑えられて、液体洗浄剤組成物のゲル化又は固化がより起きにくくなる。
台所用液体洗浄剤組成物のｐＨが８以下であると、（Ｂ１）成分と（Ｃ）成分との相互作用が弱くなりすぎず、油汚れに対する洗浄力がより向上する。また、液体洗浄剤組成物の透明外観をより安定に保ちやすくなる。
台所用液体洗浄剤組成物（２５℃に調温）のｐＨは、ｐＨメーター（製品名：ＨＭ−３０Ｇ、東亜ディーケーケー（株）製）等により測定される値を示す。
【００７９】
以上説明した、本発明の台所用液体洗浄剤組成物は、油汚れに対する洗浄力が良好であり、手肌マイルド性に優れ、かつ、洗浄後における手肌の感触を洗浄前と同じ程度に保つことができ、さらに透明外観を安定に確保できるものである。
特に、本発明の台所用液体洗浄剤組成物が「洗浄後における手肌の感触を洗浄前と同じ程度に保つことができる」のは、（Ｄ）成分を、（Ａ）成分、（Ｂ１）成分、（Ｃ）成分および（Ｅ１）成分と共に含有するためと考えられる。
本発明者らは鋭意検討により、ポリエーテル変性シリコーン（Ｄ）を用いることによって、従来、界面活性剤の種類又はその使用量を工夫するだけでは困難であった、「洗浄後における手肌の感触を洗浄前と同じ程度に保つこと」ができ、消費者に手肌のサラサラ感（なめらか感）として好まれる実感を付与できる、ことを見出した。
上述したように、特許文献１の技術では、洗浄後の手の感触は改善されるものの、洗浄前の感触と同じ程度の感触は得られず、手荒れ自体を軽減できるものではなかった。
本発明においては、食器洗い等の後に手肌に吸着する特に（Ｄ）成分自体のすべり性を積極的に利用することにより、手肌表面のすべり性が向上し、手肌にサラサラ感が付与される。これにより、洗浄後における手肌の感触を洗浄前の感触と同じ程度に保つことができ、かつ、それを実感できる。
加えて、本発明では、界面活性剤として（Ａ）成分及び（Ｂ１）成分が用いられていることにより、洗浄後の手荒れ自体も軽減できる。
以上のように、本発明の台所用液体洗浄剤組成物は、手肌にサラサラ感を付与でき、手肌マイルド性（手荒れの軽減）に優れ、従来の手肌マイルドを訴求した台所用液体洗浄剤組成物では実現できなかった「手肌マイルド実効感」を付与することができる。
【００８０】
また、本発明の台所用液体洗浄剤組成物においては、（Ｄ）成分配合の影響により、洗浄効果が低下したり、消泡したりすることがなく、（Ａ）、（Ｂ１）、（Ｃ）、（Ｅ１）成分を用いることによって、油汚れに対する洗浄力にも優れている。
さらに、本発明の台所用液体洗浄剤組成物においては、（Ｄ）成分を選択的に用いることによって、（Ｄ）成分以外のシリコーンや油性の感触付与成分では困難であった透明外観を安定に確保することができる。
【００８１】
また、本発明の台所用液体洗浄剤組成物は、ナロー率が５５質量％以上のポリオキシエチレンアルキルエーテル硫酸エステル塩（Ｂ１）を含有する。
ポリオキシエチレンアルキルエーテル硫酸エステル塩は、エチレンオキシドの付加モル数が異なるエチレンオキシド付加体の集合物である。（Ｂ１）成分は、従来のポリオキシエチレンアルキルエーテル硫酸エステル塩（ＡＥＳ）に比べて、当該付加モル数（ｎｍａｘ−２）〜（ｎｍａｘ＋２）のエチレンオキシド付加体を多く含有する。
当該付加モル数がｎｍａｘより小さいエチレンオキシド付加体が多くなると、タンパク質を変性させる作用が強くなるため、手肌マイルド性が悪くなる傾向があり、当該付加モル数がｎｍａｘより大きいエチレンオキシド付加体が多くなると、当該付加モル数の増加に伴い溶解性が低下するため、特に低温条件で析出しやすくなる、と考えられる。
（Ｂ１）成分は、当該付加モル数（ｎｍａｘ±２）のエチレンオキシド付加体の含有割合が高いことにより、当該付加モル数がｎｍａｘより小さいエチレンオキシド付加体と当該付加モル数がｎｍａｘより大きいエチレンオキシド付加体の含有割合がいずれも少なく、これらの影響を受けにくいため、従来のＡＥＳを用いた場合よりも、手肌マイルド性が向上し、また、液体洗浄剤組成物の保存安定性が向上して透明外観を安定に確保できる、と考えられる。
【００８２】
また、通常、用いられているポリオキシエチレンアルキルエーテル硫酸エステル塩は、エチレンオキシドの付加モル数が異なるエチレンオキシド付加体の集合物であることから、当該付加モル数がゼロのエチレンオキシド付加体が一定量含まれている。当該付加モル数がゼロのエチレンオキシド付加体は、オキシエチレン基を有していないことにより、特にタンパク質を変性させる作用が強くなるため、手肌マイルド性が悪くなると考えられる。
本発明における（Ｂ１）成分は、ナロー率が５５質量％以上と高いことから、当該付加モル数がゼロのエチレンオキシド付加体の含有割合が従来のＡＥＳに比べて小さいものである。
【００８３】
また、本発明の台所用液体洗浄剤組成物においては、ハイドロトロープ剤である（Ｅ１）成分を含有する。これにより、室温条件でも低温条件でも、透明外観をより安定に確保することができる。
【００８４】
また、本発明の台所用液体洗浄剤組成物においては、（Ｂ２）成分をさらに含有することにより、油汚れに対する洗浄力がよりいっそう向上する。
【００８５】
本発明によれば、食器等を清潔にする機能を充分に備え、かつ、手荒れが少なく、洗浄後の手肌に良好な感触を求める消費者ニーズに対応した、台所用として好適な液体洗浄剤組成物を提供できる。
【実施例】
【００８６】
以下に実施例を用いて本発明をさらに詳しく説明するが、本発明はこれら実施例に限定されるものではない。
【００８７】
≪液体洗浄剤組成物の製造≫
表１〜３に示す配合組成に従って、以下に示す製造方法により、各例の液体洗浄剤組成物をそれぞれ調製した。表１〜３中の配合量の単位は質量％であり、いずれの成分も純分換算量を示す。
なお、各例の液体洗浄剤組成物は、表に記載の各成分の合計が１００質量％となるように調製した。各成分は５０℃に保温したものを用いた。
［液体洗浄剤組成物の製造方法］
まず、２００ｍｌビーカに、（Ａ）成分と、（Ｂ１）成分又は（Ｂ１’）成分と、（Ｅ１）成分と、（Ｂ２）成分と、共通成分とを入れ、マグネチックスタラーにより撹拌した。次に、（Ｃ）成分を入れて撹拌した。
その後、全体量（全体量を１００質量部とする。）が９３質量部になるように精製水を入れ、撹拌した後、ｐＨを調整し、（Ｄ）成分又は（Ｄ’）成分を加え、全体量が１００質量％になるように残りのエタノールを加えて液体洗浄剤組成物を製造した。
ｐＨの調整は、各例の液体洗浄剤組成物（原液）のいずれも、２５℃でのｐＨが５．６となるように、ｐＨ調整剤（０．１Ｎ水酸化ナトリウム又は０．１Ｎ硫酸）を適量添加することにより行った。
ｐＨ測定は、液体洗浄剤組成物を２５℃に調整し、ガラス電極式ｐＨメーター（製品名：ホリバＦ−２２、（株）堀場製作所製）を用いて測定した。測定方法は、ＪＩＳ  Ｋ３３６２−１９９８に準拠して行った。
以下に、表中に示した成分について説明する。
【００８８】
＜表中に示した成分の説明＞。
・（Ａ）成分
ＬＭＥ（２）：ラウリン酸モノエタノールアミド（エチレンオキシドの平均付加モル数２）、川研ファインケミカル（株）、商品名「アミゼット２Ｌ−Ｙ」；上記一般式（ＩＩＩ）におけるＲ３１＝炭素数１１の直鎖状のアルキル基、Ｘ＝水素原子、ｍ３＝２）。
ＡＥ（１５）：アルコールエトキシレート（エチレンオキシドの平均付加モル数１５）、ライオン（株）製、商品名「レオックスＬＣ-１５０」；上記一般式（Ｉ）におけるＲ１１＝炭素数１２の直鎖状のアルキル基、Ｒ１２＝水素原子、ｍ１＝１５、ＡＯ＝オキシエチレン基。
ＡＰＧ：アルキルポリグルコシド、Ｄｏｗ  Ｃｈｅｍｉｃａｌ（株）製、商品名「ＴＲＩＯＮ  ＣＧ−１１０」；炭素数１２〜１４。
【００８９】
・（Ｂ１）成分
ＮＲＥＳ：ポリオキシエチレンアルキルエーテル硫酸ナトリウム（アルキル基の炭素数１２〜１３、エチレンオキシドの平均付加モル数２、ナロー率７８質量％、前記数式（Ｓ）におけるｎｍａｘ＝２、エチレンオキシドの付加モル数がｎｍａｘであるエチレンオキシドの付加体の割合Ｙｎｍａｘ＝Ｙ２＝２５（質量％）、エチレンオキシドの付加モル数がゼロであるエチレンオキシドの付加体の割合Ｙ０＝１３（質量％））；原料アルコール：Ｓａｆｏｌ２３アルコール［サソール社製、炭素数１２のアルコール（Ｃ１２）と炭素数１３のアルコール（Ｃ１３）との質量比でＣ１２／Ｃ１３＝６／４の混合物、分岐率５０質量％］。
なお、「分岐率」とは、全高級アルコールに対する、分岐状の高級アルコールの割合（質量％）を示す。
【００９０】
［ＮＲＥＳの合成方法］
原料アルコ−ルとして、上記Ｓａｆｏｌ２３を用いた。
４Ｌのオートクレーブ中に、前記原料アルコ−ル４００ｇと、Ａｌ／Ｍｇ／Ｍｎで構成される複合金属酸化物ルイス酸焼結固体触媒０．４ｇとを仕込み、オートクレーブ内を窒素置換し、撹拌しながら昇温した。その後、温度１８０℃、圧力を０．３ｍＰａに維持しながらエチレンオキシド５４ｇを導入し、反応物を得た。
次に、上記で得られたアルコールエトキシレート２７４ｇを、撹拌装置付の５００ｍＬフラスコにとり、窒素置換後、液体無水硫酸（サルファン）８１ｇを反応温度４０℃に保ちながらゆっくりと滴下した。滴下終了後、１時間撹拌を続け、目的とするポリオキシエチレンアルキルエーテル硫酸を得た。さらに、これを水酸化ナトリウム水溶液で中和することによりＮＲＥＳを得た。
【００９１】
［ナロー率の測定方法］
ＮＲＥＳについて、下記測定条件により、エチレンオキシドの付加モル数が異なるエチレンオキシド付加体の分布を測定した。そして、ＮＲＥＳのナロー率（質量％）を上記数式（Ｓ）に基づいて算出した。
［ＨＰＬＣによるエチレンオキシド付加体の分布の測定条件］
装置    ：ＬＣ−６Ａ（（株）島津製作所製）
検出器  ：ＳＰＤ−１０Ａ
測定波長：２２０ｎｍ
カラム  ：Ｚｏｒｂａｘ  Ｃ８（Ｄｕ  Ｐｏｎｔ（株）製）
移動相  ：アセトニトリル／水＝６０／４０（体積比）
流速    ：１ｍＬ／ｍｉｎ
温度    ：２０℃
【００９２】
・（Ｂ１）成分の比較成分［以下「（Ｂ１’）成分」と表す。］
ＡＥＳ：ポリオキシエチレンアルキルエーテル硫酸ナトリウム（アルキル基の炭素数１２、エチレンオキシドの平均付加モル数２、ナロー率５０質量％、前記数式（Ｓ）におけるｎｍａｘ＝０、エチレンオキシドの付加モル数がｎｍａｘであるエチレンオキシドの付加体の割合Ｙｎｍａｘ＝Ｙ０＝２３（質量％）；Ｙ２＝１６（質量％））、テイカ（株）製、商品名「テイカポールＮＥ１２７０」。
【００９３】
・（Ｃ）成分
ＡＸ剤：アルキルジメチルアミンオキシド（アルキル基の炭素数１２）、ライオンアクゾ社製、商品名「アロモックスＤＭ１２Ｄ−Ｗ」。
【００９４】
・（Ｄ）成分
ＳＨ３７７１Ｍ：ポリエーテル変性シリコーン（重量平均分子量２４１１．６；上記一般式（Ｖ）におけるＲ５＝水素原子、ｊ＝７、ｋ＝３、ｈ＝１２、ｉ＝０）、東レ・ダウコーニング（株）製。
ＳＨ３７７３Ｍ：ポリエーテル変性シリコーン（重量平均分子量３９６８．９；上記一般式（Ｖ）におけるＲ５＝水素原子、ｊ＝２８、ｋ＝３、ｈ＝１２、ｉ＝０）、東レ・ダウコーニング（株）製。
ＳＨ３７７２Ｍ：ポリエーテル変性シリコーン（重量平均分子量５２２９．６；上記一般式（Ｖ）におけるＲ５＝水素原子、ｊ＝４５、ｋ＝３、ｈ＝１２、ｉ＝０）、東レ・ダウコーニング（株）製。
ＳＨ３７７５Ｍ：ポリエーテル変性シリコーン（重量平均分子量７０８３．６；上記一般式（Ｖ）におけるＲ５＝水素原子、ｊ＝７０、ｋ＝３、ｈ＝１２、ｉ＝０）、東レ・ダウコーニング（株）製。
ＣＦ１１８８ＨＶ：ポリエーテル変性シリコーン（重量平均分子量２０８５４．２；上記一般式（Ｖ）におけるＲ５＝メチル基、ｊ＝２１０、ｋ＝９、ｈ＝１２、ｉ＝０）、東レ・ダウコーニング（株）製。
【００９５】
・（Ｄ）成分の比較成分［以下「（Ｄ’）成分」と表す。］
ＳＨ２００：ジメチコン（Ｆｌｕｉｄ  ５０ＣＳ）、東レ・ダウコーニング（株）製。
ＳＳ３５５１：アミノ変性シリコーン、東レ・ダウコーニング（株）製。
【００９６】
・（Ｅ１）成分
パラトルエンスルホン酸Ｎａ：パラトルエンスルホン酸Ｎａ、テイカ（株）製、商品名「テイカトックス３００」。
クメンスルホン酸Ｎａ：テイカトックス（株）製、商品名「テイカトックスＮ５０４０」。
安息香酸Ｎａ：安息香酸ナトリウム、（株）伏見製薬製。
エタノール：純正化学（株）製、試薬特級。
【００９７】
・（Ｂ２）成分
ＳＡＳ：第２級アルカンスルホン酸ナトリウム、クラリアントジャパン（株）製、商品名「ＨＯＳＴＡＰＵＲ  ＳＡＳ  ６０」。
【００９８】
・任意成分（共通成分）
クエン酸：クエン酸、純正化学（株）製、試薬特級。
ＰＥＧ１０００：ポリエチレングリコール（分子量１０００）、ライオン（株）製、商品名「ＰＥＧ＃１０００」。
香料：特開２００２−３２７１９４号公報に記載の香料組成物Ａ。
水酸化Ｎａ：鶴見曹達（株）製。
硫酸：東邦亜鉛（株）製。
【００９９】
共通成分の配合組成：
液体洗浄剤組成物中の各成分の含有量（配合量）を示す。配合量の単位は質量％であり、いずれの成分も純分換算量を示す。
クエン酸              ：０．５質量％
ＰＥＧ１０００        ：２．０質量％
香料                  ：０．３質量％
水酸化Ｎａ又は硫酸    ：適量（ｐＨ５．６に調整するのに使用した量）
水                    ：バランス
【０１００】
≪液体洗浄剤組成物の評価≫
各例の液体洗浄剤組成物について、以下に示す評価方法によって各評価を行い、その結果を表１〜３に併記した。
【０１０１】
［保存安定性（２５℃）の評価］
各例の液体洗浄剤組成物１５０ｍＬを、直径５０ｍｍ、高さ１００ｍｍの円筒ガラス瓶に収容し、フタを閉めて密封した。この状態で、２５℃（室温条件）の恒温室内で１ヶ月間保存した後の液体の外観について、目視により観察し、下記評価基準に従って、液体洗浄剤組成物の保存安定性（外観）を評価した。
（評価基準）  ○：透明外観  ×：不透明外観
【０１０２】
［保存安定性（−５℃）の評価］
各例の液体洗浄剤組成物１００ｍＬを、直径５０ｍｍ、高さ１００ｍｍの円筒ガラス瓶に収容し、フタを閉めて密封した。この状態で、−５℃（低温条件）の恒温室内で１ヶ月間保存した後の液体の外観について、目視により観察し、下記評価基準（◎〜○が合格範囲）に従って、液体洗浄剤組成物の保存安定性（外観）を評価した。
（評価基準）
◎：均一透明。
○：円筒ガラス瓶の容積の５％未満を占める量の析出物が認められた。
△：円筒ガラス瓶の容積の５％以上１０％未満を占める量の析出物が認められた。
×：円筒ガラス瓶の容積の１０％以上を占める量の析出物が認められた。
【０１０３】
［油汚れに対する洗浄力の評価］
牛脂（商品名：牛脂、和光純薬社製）０．５ｇを、縦１０ｃｍ×横１５ｃｍ×高さ５ｃｍのタッパ容器内側の全面に均一になるように塗布し、激しく汚れた疎水表面汚垢モデルとした。
次いで、縦１１．５ｃｍ×横７．５ｃｍ×高さ３ｃｍの食器洗い用スポンジに、水道水３８ｇと各例の液体洗浄剤組成物２ｇをそれぞれとり、数回手で揉んだ後、牛脂が塗布された上記タッパ容器を、２５℃の水道水を用いて、通常家庭で行われる方法と同様にして洗浄した。洗浄した後、水道水でよくすすぎ、タッパ容器内側の牛脂が塗布された部位（汚染部）を手で触ったときの触感について評価した。
かかる評価は、下記の評価基準（◎〜○が合格範囲）に基づいて行い、油汚れに対する洗浄力の評価とした。
（評価基準）
◎：タッパ容器内側の汚染部のいずれの部位を触っても、油による皮膜の存在を感じることがなく、油の残留によるぬるつきはまったく感じられなかった。
○：タッパ容器内側の底面及び側面を触ると、油による皮膜の存在を感じることがなく、油の残留によるぬるつきは感じられないが、タッパ容器内側の角の部位には僅かにぬるつきが残っていた。
△：タッパ容器内側の底面を触ると、油による皮膜の存在を感じることがなく、油の残留によるぬるつきは感じられないが、タッパ容器内側の側面や角の部位にぬるつきが残っていた。
×：タッパ容器全体にぬるつきが感じられ、明らかに油が残留していることがわかった。
【０１０４】
［手肌マイルド性の評価］
各例の液体洗浄剤組成物１質量％を水道水に溶解した水溶液を調製し、当該水溶液３リットルを入れた桶に、１日３０分間、手を手首まで浸漬させた。この操作を３日間繰り返した次の日に、手荒れの状態を目視観察し、下記の評価基準に基づいて、手肌マイルド性を評価した。
（評価基準）
５点：全く手荒れしなかった。
４点：ほとんど手荒れしなかった。
３点：やや手荒れした。
２点：かなり手荒れした。
１点：非常に手荒れした。
【０１０５】
［手肌への感触付与効果の評価］
手肌にサラサラ感が付与された場合、手肌表面の物理的な摩擦力が減少すると考え、手肌表面の摩擦力を求めることによって、手肌への感触付与効果について評価した。
手肌表面の摩擦力の測定には、静・動摩擦測定機（製品名「トライボマスター  Ｔｙｐｅ：ＴＬ-２０１-Ｓａ」、トリニティラボ社製）を用いた。
この静・動摩擦測定機は、摩擦を電圧に変換する移動式の平面形状の接触子を備えており、この接触子が摩擦の測定対象部位を移動することにより、測定対象表面の摩擦力を測定することができる。
移動式の平面形状の接触子に化粧用パフを取り付け、次に、この化粧用パフ表面にポリエステルサテンを取り付けて、水道水で手洗いした後の指と、ポリエステルサテンとの間の摩擦係数を測定した。
この摩擦係数の値を１として、各例の液体洗浄剤組成物でお皿を洗浄した後の指と、ポリエステルサテンとの間の摩擦係数を相対値として求め、下記の評価基準に基づいて、手肌への感触付与効果を評価した。
なお、摩擦係数の測定は、前記接触子が指を押す力：荷重８０ｇ、摩擦変換部位平面接触子の移動速度：５００ｍｍ／ｍｉｎ．に設定して行った。
（評価基準）
◎：摩擦係数の相対値が０．９５未満。
○：摩擦係数の相対値が０．９５〜１．０５以下。
×：摩擦係数の相対値が１．０５超。
手肌への感触付与効果の評価が◎および○であれば、洗浄後における手肌の感触を洗浄前と同じ程度に保つことができたと判定できる。
さらに、前記相対値が１より小さくなることは、指とポリエステルサテンとの間に生じる摩擦力が洗浄前に比べて軽減されたことを示し、手肌にサラサラ感が付与されたといえる。
【０１０６】
【表１】
2010037552.tif 000011
【０１０７】
【表２】
2010037552.tif 000012
【０１０８】
【表３】
2010037552.tif 000013
【０１０９】
表１〜２の結果から明らかなように、本発明に係る実施例１〜１９の液体洗浄剤組成物は、油汚れに対する洗浄力が良好であり、手肌マイルド性に優れ、かつ、洗浄後における手肌の感触を洗浄前と同じ程度に保つことができ、さらに、室温条件であっても低温条件であっても透明外観を安定に確保できることが確認できた。
実施例４と実施例９との対比から、アルカンスルホン酸塩（Ｂ２）をさらに含有することにより、油汚れに対する洗浄力がより向上することが確認できた。
【０１１０】
表３の結果から、感触付与成分として（Ｄ）成分以外のシリコーン化合物（（Ｄ’）成分）を用いた比較例６〜７の液体洗浄剤組成物は、白濁を起こして透明外観を安定に確保できないことが確認された。
アニオン性界面活性剤として（Ｂ１）成分以外のもの（ＡＥＳ、ＳＡＳ）を用いた比較例８〜９の液体洗浄剤組成物は、手肌マイルド性に劣り、低温下での経時保存で白濁を起こして透明外観を安定に確保できないことが確認された。
また、実施例４と比較例４との対比から、洗浄成分と共に感触付与成分を配合した際、従来問題とされていた、油汚れに対する洗浄力が低下しやすいこと、及び白濁を起こして透明外観の確保が困難であることについて、本発明の構成によれば、感触付与成分として（Ｄ）成分を用いても、油汚れに対する洗浄力が低下することなく、かつ、透明外観を安定に確保できることが確認できた。
【０１１１】
また、（Ｄ）成分を欠く比較例４の液体洗浄剤組成物は、手肌への感触付与効果が悪く；（Ｃ）成分を欠く比較例２の液体洗浄剤組成物は、油汚れに対する洗浄力が悪く、手肌マイルド性も劣り；（Ａ）成分を欠く比較例３の液体洗浄剤組成物は、手肌マイルド性に劣り、低温条件での保存安定性が悪いことが確認された。
さらに、（Ｂ１）成分を欠く比較例１の液体洗浄剤組成物は、油汚れに対する洗浄力が悪いこと、室温条件及び低温条件のいずれも保存安定性が悪いために透明外観を確保できないことが確認された。
（Ｅ１）成分を欠く比較例５の液体洗浄剤組成物は、室温条件及び低温条件のいずれも保存安定性が悪いために透明外観を確保できず、油汚れに対する洗浄力も劣ることが確認された。